(57)【要約】【課題】広告データを安価にて配信できるようにすること。【解決手段】店舗に設置されて広告映像を拡大投影する拡大投影装置３、４、６０をインターネット網に接続するインターネット接続装置６とインターネット網を介して、広告映像コンテンツデータを配信する広告配信サーバコンピュータ１と、から成り、拡大投影装置３は、インターネット接続装置６から取得した動的ＩＰアドレスと拡大投影装置識別情報を含むＩＰアドレス情報を広告配信サーバコンピュータ１に送信し、広告配信サーバコンピュータ１は、各拡大投影装置３、４、６０の動的ＩＰアドレスを更新管理し、該更新管理している動的ＩＰアドレスに対して広告映像データを配信する。【選択図】図１
2009217309.tif 000002
【特許請求の範囲】
【請求項１】
集客施設に設置され、不特定多数の人が同時に視聴可能に少なくとも広告映像コンテンツを拡大投影する拡大投影装置と、該拡大投影装置をインターネット網にデータ通信接続するためのインターネット接続装置と、インターネット網を介して前記拡大投影装置に対し、少なくとも広告映像コンテンツデータを配信する広告配信サーバコンピュータと、から成る広告映像配信システムであって、
前記拡大投影装置は、前記インターネット接続装置から当該インターネット接続装置に動的に割り当てられたＩＰアドレスを逐次取得し、該取得したＩＰアドレスと当該拡大投影装置に固有に付与された拡大投影装置識別情報とを含むＩＰアドレス情報を、前記広告配信サーバコンピュータに対して送信するＩＰアドレス情報送信手段を備え、
前記広告配信サーバコンピュータは、
前記広告映像コンテンツデータを記憶するための広告映像コンテンツデータ記憶手段と、
前記拡大投影装置識別情報に対応付けて、当該拡大投影装置に接続されている前記インターネット接続装置のＩＰアドレスを管理するためのＩＰアドレス管理手段と、
前記ＩＰアドレス情報の受信に応じて、該受信したＩＰアドレス情報に含まれる拡大投影装置識別情報に対応付けて前記ＩＰアドレス管理手段において管理しているＩＰアドレスを、該受信したＩＰアドレス情報に含まれるＩＰアドレスに更新するＩＰアドレス更新手段と、
広告映像コンテンツデータの配信対象とする拡大投影装置が該当するＩＰアドレスを、当該拡大投影装置の拡大投影装置識別情報に対応付けて前記ＩＰアドレス管理手段にて管理されているＩＰアドレスから特定し、該特定したＩＰアドレスに対して前記広告映像コンテンツデータ記憶手段に記憶されている広告映像コンテンツデータを読み出して配信する配信手段と、
を備え、
前記拡大投影装置は、前記配信手段から配信される広告映像コンテンツデータに基づく広告映像コンテンツを拡大投影することを特徴とする広告映像配信システム。
【請求項２】
前記拡大投影装置は、前記配信手段から配信される広告映像コンテンツデータを、当該広告映像コンテンツを特定可能な広告映像コンテンツ特定情報に対応付けて記憶する受信広告映像コンテンツデータ記憶手段を備え、
前記広告配信サーバコンピュータは、前記配信手段にて配信した広告映像コンテンツデータの広告映像コンテンツ特定情報に対応付けて、当該広告映像コンテンツデータを配信した拡大投影装置の拡大投影装置識別情報を記憶する配信履歴記憶手段を備え、
前記配信手段は、配信対象の広告映像コンテンツデータの広告映像コンテンツ特定情報に対応付けて配信対象とする拡大投影装置の拡大投影装置識別情報が前記配信履歴記憶手段に記憶されているときには、該広告映像コンテンツデータに代えて、当該広告映像コンテンツデータの広告映像コンテンツ特定情報を配信し、
前記拡大投影装置は、前記配信手段から広告映像コンテンツ特定情報を受信したときには、該受信した広告映像コンテンツ特定情報に対応付けて前記受信広告映像コンテンツデータ記憶手段に記憶されている広告映像コンテンツデータに基づく広告映像コンテンツを拡大投影することを特徴とする請求項１に記載の広告映像配信システム。
【請求項３】
前記広告配信サーバコンピュータは、広告依頼者が管理する広告依頼者端末とインターネット網を介してデータ通信可能に接続されており、該広告依頼者端末から受付けた広告映像コンテンツデータを前記広告映像コンテンツデータ記憶手段に、広告の依頼に応じて登録する広告映像コンテンツデータ受付け処理手段を備えることを特徴とする請求項１または２に記載の広告映像配信システム。
【請求項４】
前記広告配信サーバコンピュータは、前記集客施設を個々に識別可能な施設識別情報に対応付けて、当該集客施設の属性情報を記憶する属性情報記憶手段と、前記広告依頼者端末からのアクセスに応じて広告依頼者から広告の実施を希望する集客施設の属性情報に関する条件を受付け、該受付けた条件に合致する集客施設の集客施設一覧を配信し、該配信した集客施設一覧から、当該広告依頼者の広告映像データに基づく広告を実施する集客施設の指定を受付け、前記配信手段は、該指定された集客施設に設置されている拡大投影装置に対応するＩＰアドレスに対して、前記広告映像コンテンツデータ記憶手段に記憶されている当該指定を実施した広告依頼者の広告映像コンテンツデータを読み出して配信することを特徴とする請求項３に記載の広告映像配信システム。
【請求項５】
集客施設に設置され、不特定多数の人が同時に視聴可能に少なくとも広告映像コンテンツを拡大投影する拡大投影装置と、前記拡大投影装置に対し、少なくとも広告映像コンテンツデータを配信するための広告配信装置と、から成る広告映像配信システムであって、
前記広告配信装置は、
前記広告映像コンテンツデータを記憶するための広告映像コンテンツデータ記憶手段と、
前記拡大投影装置に固有に付与された拡大投影装置識別情報を記憶する拡大投影装置識別情報記憶手段と、
前記広告映像コンテンツデータの配信対象とする拡大投影装置の拡大投影装置識別情報を前記拡大投影装置識別情報記憶手段から抽出し、該抽出した拡大投影装置識別情報と、前記広告映像コンテンツデータ記憶手段から読み出した配信対象の広告映像コンテンツデータとを対応付けた放送用データを生成する放送用データ生成手段と、
該放送用データ生成手段にて生成した放送用データを、直交周波数分割多重（ＯＦＤＭ）変調により複数のセグメントに多重化されたＩＳＤＢ−Ｔ方式に基づく地上波デジタル放送信号を含む放送波を送信する放送局に対し出力して、該放送用データに含まれる拡大投影装置識別情報をデータチャンネルのデータとして含むとともに、広告映像コンテンツデータに基づく広告映像並びに広告音声を映像並びに音声チャンネルのデータとして含む地上波デジタル放送信号の送信を実施させるための放送用データ出力手段と、
を備え、
前記拡大投影装置は、前記放送局から送信された地上波デジタル放送信号を含む放送波を受信するための地上波デジタル放送信号受信手段を備え、該地上波デジタル放送信号受信手段にて受信した地上波デジタル放送信号のデータチャンネルのデータとして、自己の拡大投影装置識別情報が含まれていることを条件に、該受信した地上波デジタル放送信号による広告映像コンテンツを拡大投影することを特徴とする広告映像配信システム。
【請求項６】
前記放送用データ生成手段は、前記拡大投影装置識別情報とともに、当該広告映像コンテンツを特定可能な広告映像コンテンツ特定情報と、各拡大投影装置識別情報に対応付けて当該広告映像コンテンツを拡大投影するスケジュールデータとを含む放送用データを生成し、
前記拡大投影装置は、
前記地上波デジタル放送信号受信手段にて受信した映像並びに音声チャンネルの受信データを、受信したデータチャンネルのデータとして含まれている当該広告映像コンテンツを特定可能な広告映像コンテンツ特定情報に対応付けて記憶する受信広告映像コンテンツデータ記憶手段と、
前記地上波デジタル放送信号受信手段にて受信したデータチャンネルのデータに含まれる、自己の拡大投影装置識別情報に対応するスケジュールデータを記憶するスケジュールデータ記憶手段と、
を備え、
前記スケジュールデータ記憶手段に記憶されているスケジュールデータから特定されるスケジュールに基づいて、当該スケジュールに該当する広告映像コンテンツ特定情報に対応付けて前記受信広告映像コンテンツデータ記憶手段に記憶されているデータを読み出して拡大投影することを特徴とする請求項５に記載の広告映像配信システム。
【請求項７】
前記広告配信装置は、広告依頼者が管理する広告依頼者端末とデータ通信可能に接続されており、該広告依頼者端末から受付けた広告映像コンテンツデータを前記広告映像コンテンツデータ記憶手段に、広告の依頼に応じて登録する広告映像コンテンツデータ受付け処理手段を備えることを特徴とする請求項５または６に記載の広告映像配信システム。
【請求項８】
前記広告配信装置は、前記集客施設を個々に識別可能な施設識別情報に対応付けて、当該集客施設の属性情報を記憶する属性情報記憶手段と、前記広告依頼者端末からのアクセスに応じて広告依頼者から広告の実施を希望する集客施設の属性情報に関する条件を受付け、該受付けた条件に合致する集客施設の集客施設一覧を配信し、該配信した集客施設一覧から、当該広告依頼者の広告映像データに基づく広告を実施する集客施設の指定を受付け、前記放送用データ生成手段は、該指定された集客施設に設置されている拡大投影装置の拡大投影装置識別情報を前記拡大投影装置識別情報記憶手段から抽出し、前記広告映像コンテンツデータ記憶手段に記憶されている当該指定を実施した広告依頼者の広告映像コンテンツデータを読み出して前記放送用データを生成することを特徴とする請求項７に記載の広告映像配信システム。
【請求項９】
前記拡大投影装置が、前記集客施設の建築物の一部を成すガラス板と、当該ガラス板表面と所定間隔を有するように対向配置され、入力映像を左右反転して前記ガラス板表面に拡大投影する拡大投影機と、から成り、前記ガラス表面に、透過する光を拡散する光拡散層を設けることで、前記ガラスの前記拡大投影機の配置位置と反対方向側から拡大映像を視認可能とされていることを特徴とする請求項１〜８のいずれかに記載の広告映像配信システム。
【発明の詳細な説明】
【技術分野】
【０００１】
本発明は、消費行動がなされる店舗やショッピングモール等の集客施設においてコマーシャル等の広告映像を拡大表示することで、消費に繋がる効果的な広告を実施することを可能とする広告映像配信システムに関する。
【背景技術】
【０００２】
従来、店舗や遊技場等において、これら店舗や遊技場内に設置されている各種の機器に対して、店舗外に設置されたサーバコンピュータから広告データを配信して、広告を表示や印刷出力して、これら各種の機器の利用者に対して広告を行うものがある（例えば、特許文献１、２参照）。
【０００３】
【特許文献１】特開２００８−３２９２２号公報
【特許文献２】特開２００４−２１３１８２号公報
【発明の開示】
【発明が解決しようとする課題】
【０００４】
これらのシステムは、店舗外に設置されたサーバコンピュータから広告データを配信するので、最新の広告をほぼリアルタイムに実施できるものの、個々の店舗の各機器に確実に広告データを配信するためには、サーバコンピュータと店舗とを専用線で接続したり、或いは、インターネット接続する場合には固定のＩＰ（インターネットプロトコル）アドレスを各店舗に付与する必要があるが、これら専用線接続や固定ＩＰアドレスによるインターネット接続は比較的費用が高く、これら比較的利用費用が高いデータ通信経路を、多数の店舗について設けると、その費用が非常に大きくなってしまい、システムの運用コストが非常に大きなものとなってしまうという問題があった。
【０００５】
また、引用文献１並びに引用文献２は、いずれも、店舗内に設置された機器において広告が実施されるので、機器の利用者以外の来店者や、店舗内に入店していない通行人等には、広告を実施することができないという問題があった。
【０００６】
本発明は、このような問題点に着目してなされたもので、広告データを安価にて配信できるようにすることで、システムの運用コストが低く、店舗内に設置された機器の利用者以外の人にも広告を実施することのできる広告映像配信システムを提供することを目的としている。
【課題を解決するための手段】
【０００７】
上記課題を解決するために、本発明の請求項１に記載の広告映像配信システムは、
集客施設に設置され、不特定多数の人が同時に視聴可能に少なくとも広告映像コンテンツを拡大投影する拡大投影装置と、該拡大投影装置をインターネット網にデータ通信接続するためのインターネット接続装置と、インターネット網を介して前記拡大投影装置に対し、少なくとも広告映像コンテンツデータを配信する広告配信サーバコンピュータと、から成る広告映像配信システムであって、
前記拡大投影装置は、前記インターネット接続装置から当該インターネット接続装置に動的に割り当てられたＩＰアドレスを逐次取得し、該取得したＩＰアドレスと当該拡大投影装置に固有に付与された拡大投影装置識別情報とを含むＩＰアドレス情報を、前記広告配信サーバコンピュータに対して送信するＩＰアドレス情報送信手段を備え、
前記広告配信サーバコンピュータは、
前記広告映像コンテンツデータを記憶するための広告映像コンテンツデータ記憶手段と、
前記拡大投影装置識別情報に対応付けて、当該拡大投影装置に接続されている前記インターネット接続装置のＩＰアドレスを管理するためのＩＰアドレス管理手段と、
前記ＩＰアドレス情報の受信に応じて、該受信したＩＰアドレス情報に含まれる拡大投影装置識別情報に対応付けて前記ＩＰアドレス管理手段において管理しているＩＰアドレスを、該受信したＩＰアドレス情報に含まれるＩＰアドレスに更新するＩＰアドレス更新手段と、
広告映像コンテンツデータの配信対象とする拡大投影装置が該当するＩＰアドレスを、当該拡大投影装置の拡大投影装置識別情報に対応付けて前記ＩＰアドレス管理手段にて管理されているＩＰアドレスから特定し、該特定したＩＰアドレスに対して前記広告映像コンテンツデータ記憶手段に記憶されている広告映像コンテンツデータを読み出して配信する配信手段と、
を備え、
前記拡大投影装置は、前記配信手段から配信される広告映像コンテンツデータに基づく広告映像コンテンツを拡大投影することを特徴としている。
この特徴によれば、比較的利用費用が易い変動するＩＰアドレスによるインターネット接続でも、広告映像コンテンツデータを拡大投影装置に対して配信することができるようになるので、広告映像コンテンツデータを安価にて配信でき、よってシステムの運用コストを低く抑えることができるばかりか、広告映像コンテンツが拡大投影されることで、店舗内に設置された機器の利用者以外の人にも広告を実施することができる。
【０００８】
本発明の請求項２に記載の広告映像配信システムは、請求項１に記載の広告映像配信システムであって、
前記拡大投影装置は、前記配信手段から配信される広告映像コンテンツデータを、当該広告映像コンテンツを特定可能な広告映像コンテンツ特定情報に対応付けて記憶する受信広告映像コンテンツデータ記憶手段を備え、
前記広告配信サーバコンピュータは、前記配信手段にて配信した広告映像コンテンツデータの広告映像コンテンツ特定情報に対応付けて、当該広告映像コンテンツデータを配信した拡大投影装置の拡大投影装置識別情報を記憶する配信履歴記憶手段を備え、
前記配信手段は、配信対象の広告映像コンテンツデータの広告映像コンテンツ特定情報に対応付けて配信対象とする拡大投影装置の拡大投影装置識別情報が前記配信履歴記憶手段に記憶されているときには、該広告映像コンテンツデータに代えて、当該広告映像コンテンツデータの広告映像コンテンツ特定情報を配信し、
前記拡大投影装置は、前記配信手段から広告映像コンテンツ特定情報を受信したときには、該受信した広告映像コンテンツ特定情報に対応付けて前記受信広告映像コンテンツデータ記憶手段に記憶されている広告映像コンテンツデータに基づく広告映像コンテンツを拡大投影することを特徴としている。
この特徴によれば、既に広告映像コンテンツデータを配信した拡大投影装置に対して、繰返し広告映像コンテンツデータを配信する必要がなく、これら、同一の広告映像コンテンツデータを繰返し拡大投影する場合における広告配信サーバコンピュータの配信負荷を大幅に低減できる。
【０００９】
本発明の請求項３に記載の広告映像配信システムは、請求項１または２に記載の広告映像配信システムであって、
前記広告配信サーバコンピュータは、広告依頼者が管理する広告依頼者端末とインターネット網を介してデータ通信可能に接続されており、該広告依頼者端末から受付けた広告映像コンテンツデータを前記広告映像コンテンツデータ記憶手段に、広告の依頼に応じて登録する広告映像コンテンツデータ受付け処理手段を備えることを特徴としている。
この特徴によれば、広告依頼者は、新たな広告の広告映像コンテンツデータを自身が管理する広告依頼者端末から広告配信サーバコンピュータに直接登録することができるので、該新たな広告を集客施設において迅速に実施することができる。
【００１０】
本発明の請求項４に記載の広告映像配信システムは、請求項３に記載の広告映像配信システムであって、
前記広告配信サーバコンピュータは、前記集客施設を個々に識別可能な施設識別情報に対応付けて、当該集客施設の属性情報を記憶する属性情報記憶手段と、前記広告依頼者端末からのアクセスに応じて広告依頼者から広告の実施を希望する集客施設の属性情報に関する条件を受付け、該受付けた条件に合致する集客施設の集客施設一覧を配信し、該配信した集客施設一覧から、当該広告依頼者の広告映像データに基づく広告を実施する集客施設の指定を受付け、前記配信手段は、該指定された集客施設に設置されている拡大投影装置に対応するＩＰアドレスに対して、前記広告映像コンテンツデータ記憶手段に記憶されている当該指定を実施した広告依頼者の広告映像コンテンツデータを読み出して配信することを特徴としている。
この特徴によれば、広告依頼者は、広告を実施したい集客施設、つまり広告効果を見込める集客施設を指定して広告を行うことができ、より効率の高い広告を実施できる。
【００１１】
本発明の請求項５に記載の広告映像配信システムは、
集客施設に設置され、不特定多数の人が同時に視聴可能に少なくとも広告映像コンテンツを拡大投影する拡大投影装置と、前記拡大投影装置に対し、少なくとも広告映像コンテンツデータを配信するための広告配信装置と、から成る広告映像配信システムであって、
前記広告配信装置は、
前記広告映像コンテンツデータを記憶するための広告映像コンテンツデータ記憶手段と、
前記拡大投影装置に固有に付与された拡大投影装置識別情報を記憶する拡大投影装置識別情報記憶手段と、
前記広告映像コンテンツデータの配信対象とする拡大投影装置の拡大投影装置識別情報を前記拡大投影装置識別情報記憶手段から抽出し、該抽出した拡大投影装置識別情報と、前記広告映像コンテンツデータ記憶手段から読み出した配信対象の広告映像コンテンツデータとを対応付けた放送用データを生成する放送用データ生成手段と、
該放送用データ生成手段にて生成した放送用データを、直交周波数分割多重（ＯＦＤＭ）変調により複数のセグメントに多重化されたＩＳＤＢ−Ｔ方式に基づく地上波デジタル放送信号を含む放送波を送信する放送局に対し出力して、該放送用データに含まれる拡大投影装置識別情報をデータチャンネルのデータとして含むとともに、広告映像コンテンツデータに基づく広告映像並びに広告音声を映像並びに音声チャンネルのデータとして含む地上波デジタル放送信号の送信を実施させるための放送用データ出力手段と、
を備え、
前記拡大投影装置は、前記放送局から送信された地上波デジタル放送信号を含む放送波を受信するための地上波デジタル放送信号受信手段を備え、該地上波デジタル放送信号受信手段にて受信した地上波デジタル放送信号のデータチャンネルのデータとして、自己の拡大投影装置識別情報が含まれていることを条件に、該受信した地上波デジタル放送信号による広告映像コンテンツを拡大投影することを特徴としている。
この特徴によれば、集客施設の拡大投影装置に対して、専用回線やインターネット接続回線等を使用することなく、広告映像コンテンツデータに基づく広告映像コンテンツを配信することができるようになるので、広告映像コンテンツを安価にて配信でき、よってシステムの運用コストを低く抑えることができるばかりか、広告映像コンテンツが拡大投影されることで、店舗内に設置された機器の利用者以外の人にも広告を実施することができる。
【００１２】
本発明の請求項６に記載の広告映像配信システムは、請求項５に記載の広告映像配信システムであって、
前記放送用データ生成手段は、前記拡大投影装置識別情報とともに、当該広告映像コンテンツを特定可能な広告映像コンテンツ特定情報と、各拡大投影装置識別情報に対応付けて当該広告映像コンテンツを拡大投影するスケジュールデータとを含む放送用データを生成し、
前記拡大投影装置は、
前記地上波デジタル放送信号受信手段にて受信した映像並びに音声チャンネルの受信データを、受信したデータチャンネルのデータとして含まれている当該広告映像コンテンツを特定可能な広告映像コンテンツ特定情報に対応付けて記憶する受信広告映像コンテンツデータ記憶手段と、
前記地上波デジタル放送信号受信手段にて受信したデータチャンネルのデータに含まれる、自己の拡大投影装置識別情報に対応するスケジュールデータを記憶するスケジュールデータ記憶手段と、
を備え、
前記スケジュールデータ記憶手段に記憶されているスケジュールデータから特定されるスケジュールに基づいて、当該スケジュールに該当する広告映像コンテンツ特定情報に対応付けて前記受信広告映像コンテンツデータ記憶手段に記憶されているデータを読み出して拡大投影することを特徴としている。
この特徴によれば、同一の広告映像コンテンツを繰返し拡大投影する場合において、該広告映像コンテンツを繰返し放送する必要がなく、これら、同一の広告映像コンテンツデータを繰返し拡大投影する場合における配信コストを、著しく低減することができる。
【００１３】
本発明の請求項７に記載の広告映像配信システムは、請求項５または６に記載の広告映像配信システムであって、
前記広告配信装置は、広告依頼者が管理する広告依頼者端末とデータ通信可能に接続されており、該広告依頼者端末から受付けた広告映像コンテンツデータを前記広告映像コンテンツデータ記憶手段に、広告の依頼に応じて登録する広告映像コンテンツデータ受付け処理手段を備えることを特徴としている。
この特徴によれば、広告依頼者は、新たな広告の広告映像コンテンツデータを自身が管理する広告依頼者端末から広告配信装置に直接登録することができるので、該新たな広告を集客施設において迅速に実施することができる。
【００１４】
本発明の請求項８に記載の広告映像配信システムは、請求項７に記載の広告映像配信システムであって、
前記広告配信装置は、前記集客施設を個々に識別可能な施設識別情報に対応付けて、当該集客施設の属性情報を記憶する属性情報記憶手段と、前記広告依頼者端末からのアクセスに応じて広告依頼者から広告の実施を希望する集客施設の属性情報に関する条件を受付け、該受付けた条件に合致する集客施設の集客施設一覧を配信し、該配信した集客施設一覧から、当該広告依頼者の広告映像データに基づく広告を実施する集客施設の指定を受付け、前記放送用データ生成手段は、該指定された集客施設に設置されている拡大投影装置の拡大投影装置識別情報を前記拡大投影装置識別情報記憶手段から抽出し、前記広告映像コンテンツデータ記憶手段に記憶されている当該指定を実施した広告依頼者の広告映像コンテンツデータを読み出して前記放送用データを生成することを特徴としている。
この特徴によれば、広告依頼者は、広告を実施したい集客施設、つまり広告効果を見込める集客施設を指定して広告を行うことができ、より効率の高い広告を実施できる。
【００１５】
本発明の請求項９に記載の広告映像配信システムは、請求項１〜８のいずれかに記載の広告映像配信システムであって、
前記拡大投影装置が、前記集客施設の建築物の一部を成すガラス板と、当該ガラス板表面と所定間隔を有するように対向配置され、入力映像を左右反転して前記ガラス板表面に拡大投影する拡大投影機と、から成り、前記ガラス表面に、透過する光を拡散する光拡散層を設けることで、前記ガラスの前記拡大投影機の配置位置と反対方向側から拡大映像を視認可能とされていることを特徴としている。
この特徴によれば、ガラス板の表面に光拡散層を設けることで、良好なコントラストであって、左右が逆となっていない正しい映像をガラス上において得ることができ、よって、集客施設の建築物の一部を成すガラスを、投影光の透過側から視聴可能な表示画面とする拡大投影装置を、集客施設である店舗等に容易に形成することができる。
【発明を実施するための最良の形態】
【００１６】
本発明の実施例を以下に説明する。
【実施例１】
【００１７】
本発明の実施例を図面に基づいて説明すると、先ず図1は、本発明の請求項１に対応する本実施例１の広告映像配信システムの構成を示すシステム構成図である。
【００１８】
本実施例の広告映像配信システムは、集客施設としての店舗であるコンビニエンスストアに設置された拡大投影装置を成す店舗端末（ノートパソコン）３並びに液晶プロジェクタ４と、各コンビニエンスストアに設置された店舗端末３をインターネットプロバイダ（ＩＳＰ）を通じてインターネット網に接続するためのＡＤＳＬ（Asymmetric Digital Subscriber Line）モデムや光通信モデム等のデータ通信機器から成るインターネット接続装置６と、これらインターネット接続装置６並びにインターネット網を介して各コンビニエンスストアに設置された店舗端末３とデータ通信可能に接続され、配信センターに設置された配信管理サーバ１と、該配信管理サーバ１とインターネット網を介して接続された、各広告依頼者（クライアント）のコンピュータ端末５と、から主に構成されている。
【００１９】
配信管理サーバ１は、配信センターを管理する配信サービス会社により運営されており、該配信サービス会社は、各店舗（コンビニエンスストア）が集客を行うために、通行者や来店客等が興味を示す有用な映像コンテンツであって、著作権者や著作隣接権者の許諾を予め受けた映像コンテンツを、各店舗（コンビニエンスストア）に配信するサービスを行うとともに、各広告依頼者（クライアント）からのＣＭ依頼を受けて当該広告依頼者（クライアント）のＣＭ映像（広告コンテンツ）を、各店舗（コンビニエンスストア）に配信して広告を行うサービスを提供する。
【００２０】
配信管理サーバ１は、通信装置２を介してインターネット網に固定アドレス接続されており、該インターネット網を介して、各コンビニエンスストアに設置された店舗端末３、並びに各広告依頼者（クライアント）のコンピュータ端末５との種々のデータ通信が可能とされている。
【００２１】
まず、本実施例において各店舗であるコンビニエンスストアに設置された拡大投影装置について、図２〜図５に基づいて説明すると、本実施例において拡大投影装置は、図２に示すように、集客施設である店舗の建築物の一部を成す、店舗前の通行路に臨むように設けられた店舗前側ウインドウの透明ガラス板６０と、該透明ガラス板６０に対して、上方向から投影が可能なように、店舗内の天井に設置された液晶プロジェクタ４と、コンビニエンスストアのレジカウンタ内等に、店員が視認並びに操作可能に設置された店舗端末（ノートパソコン）３と、から構成されている。
【００２２】
この透明ガラス板６０には、図２に示すように、液晶プロジェクタ４から投影される表示領域よりもやや大きな大きさとされた半透明の光拡散フィルム６１が貼着されている。
【００２３】
より詳細には、本実施例においては図５に示すように、透明ガラス板６０の透過側となる屋外面に光拡散フィルム６１が貼着されている。
【００２４】
この光拡散フィルム６１には、その外周部に、光拡散フィルム６１と透明ガラス板６０との貼着面に雨水等が進入することを防止するための粘着剤層６４が形成されているが、該外周部以外の映像が投影される光拡散フィルム６１の部分には、粘着剤層６４が形成されておらず、これら外周部分以外については、該光拡散フィルム６１を専用の剥離紙から剥離する際に発生する静電気により、透明ガラス板６０と密着するようになっている。
【００２５】
このように、本実施例では、映像が投影される部分に粘着材を存在させずに透明ガラス板６０の表面と光拡散フィルム６１の後述する鏡面とを密着させることで、光拡散フィルム６１を透過する投影光が粘着材や、透明ガラス板６０の表面との空隙により、透過する投影光の進路が変化して、映像が不鮮明となってしまうことを回避することができることから好ましいが、本発明はこれに限定されるものではなく、これら粘着材層が全面に形成された光拡散フィルム６１を使用しても良く、この場合においては、これら粘着材層に光拡散材を添加して、該粘着材層を光拡散層とするようにしても良い。
【００２６】
また、本実施例では、雨水等の進入を阻止するための粘着剤層６４を外周に設けているが、本発明はこれに限定されるものではなく、例えば、これら光拡散フィルム６１を透明ガラス板６０の屋内面に貼着する場合であれば、雨水等が侵入することがないので、これら粘着剤層６４を有しない構成としても良い。
【００２７】
これら光拡散フィルム６１としては、当該フィルムに入射する光を、当該フィルムを透過する光の透過量を大きく低下させることなく拡散するものであって、取り扱い可能な機械的強度を有するものであれば好適に使用することができ、本実施例では、その一面が非平滑面（マット面）加工されることにより光を拡散するとともに、当該フィルムに非平滑面（マット面）から入射する外光による写り込みを防止可能なポリエチレンテレフタレートフィルム（ポリエステルフィルム、厚み１００ミクロン）を使用している。
【００２８】
但し、本発明はこれに限定されるものではなく、光拡散フィルムとしては、これら非平滑面（マット面）ポリエステルフィルム以外のフィルムを用いても良いし、更には、これらフィルムではなく、例えば、太陽光電池パネルのカバーガラスのように、高い光透過性を有するとともに、非平滑面（マット面）を有する擦りガラスや型板ガラス、サンドブラスト処理或いはフッ酸処理によるタペストリーガラス、或いは、非平滑面（マット面）を有するプラスチック板や、微小なガラス粉等の光拡散材を内在するプラスチック板、或いは、これら光拡散材を含む塗膜により光拡散層を形成するようにしても良い。
【００２９】
つまり、本実施例のポリエステルフィルムの一面は非平滑面（マット面）とされ、他方の面は鏡面（平滑面）とされていて、この平滑面が透明ガラス板６０と静電気により密着するようになっており、非平滑面（マット面）が屋外面として露出することで、光拡散フィルム６１に入射する外光が、該非平滑面（マット面）により拡散されることにより、外光による写り込みによって、投影画像が見難くなってしまうことを防止できるようになっている。
【００３０】
尚、本実施例では、この非平滑面（マット面）が屋外に暴露されるため、該非平滑面（マット面）がほこり等により汚れることを防止することを目的として、該非平滑面（マット面）上に親水性層を形成しており、該親水性層によって汚れの付着を防止できるようになっている。尚、これら親水性層としては、光触媒により親水性を向上する公知の処理液や塗料等により形成すれば良い。また、光拡散フィルム６１が透明ガラス板６０の屋内面に貼着される場合については、これら親水性層を設けない構成としても良い。
【００３１】
次に、本実施例に用いた店舗端末（ノートパソコン）３と、液晶プロジェクタ４とについて詳述する。
【００３２】
本実施例においては、図３に示すように、店舗端末３としてノート型パソコンを使用しており、該店舗端末３は、店舗内に設置されたインターネット接続装置６により、ＩＳＰを介してインターネット網に接続されているとともに、店内並びに店外に設置された図示しないスピーカ並びにアンプを含む店舗音響装置に接続されていて、映像音声等を該店舗音響装置に出力可能とされている。
【００３３】
本実施例のインターネット接続装置６には、ＩＳＰにより該ＩＳＰが使用可能に予め割り当てられたインターネット網上の異なるＩＰアドレスが、動的に割り当てられるようになっており、該割り当てられているＩＰアドレスが店舗端末３からの取得要求の受信に応じて出力されるようになっている。
【００３４】
また、本実施例に用いた店舗端末３としては、無線ＬＡＮ（Local Area Network）通信機能を備えた公知のノートパソコンを使用しており、後述するように、同様に無線ＬＡＮ（Local Area Network）通信機能を備えた液晶プロジェクタ４との間において、非接触にて双方向のデータ通信が可能とされている。
【００３５】
尚、本実施例では、インターネット接続装置６が無線ＬＡＮ通信機能を有していないために、店舗端末３とインターネット接続装置６とを有線にて接続しているが、本発明はこれに限定されるものではなく、これらインターネット接続装置６と店舗端末３とを、同様に、無線ＬＡＮ通信にて接続するようにしても良い。
【００３６】
また、本実施例の店舗端末（ノートパソコン）３には、該ノートパソコンを動作させるためのオペレーティングシステム（ＯＳ）プログラムとともに、該ＯＳプログラム上において動作する、配信管理サーバ１から受信した映像コンテンツデータやＣＭ映像データやスケジュールデータを記憶、管理するとともに、インターネット接続装置６から取得したＩＰアドレスを含むＩＰアドレス情報の送信や、液晶プロジェクタ４を遠隔コントロールするための店舗用ユーテリティ（プログラム）や、該店舗端末（ノートパソコン）３に固有に付与された店舗端末ＩＤや、当該店舗（コンビニエンスストア）の店舗ＩＤ、配信管理サーバ１の固定ＩＰアドレス等が搭載（記憶）されており、これら店舗用ユーテリティ（プログラム）を実行することで、店舗端末（ノートパソコン）３にて液晶プロジェクタ４にて投影される映像の再生や停止、反転表示の実施・非実施等の操作を実施できるようになっている。
【００３７】
具体的に、本実施例の店舗端末（ノートパソコン）３の表示部３１には、店舗用ユーテリティ（プログラム）を実行することで、図４に示すユーテリティ画面が表示されるようになっており、該ユーテリティ画面上において各種の操作を実施できるようになっている。
【００３８】
本実施例のユーテリティ画面には、図４に示すように、液晶プロジェクタ４において投影されている、つまり、その時点において光拡散フィルム６１に表示されている表示映像が表示される再生映像表示部３２と、映像コンテンツやＣＭ映像の再生スケジュールが表示されるスケジュール表示部３３、静止画像を表示させる場合や再生を停止する場合に操作される停止操作部３４、再生を開始や再開させる際に操作される再生操作部３５、外部出力される映像音声の音量を調節するための音量調節部３６、映像の左右反転を実施させないことで店内向けの反射映像を表示させるための店内操作部３７ａと、映像の左右反転を実施させることで店外向けの透過映像を表示させるための店外操作部３７ｂと、スケジュール表示部３３に表示されたスケジュールに同期した再生表示を実施させる際に操作される同期操作部３８、並びにスケジュール表示部３３に表示されたスケジュールを変更する際に操作される編集操作部３９が設けられており、該ユーテリティ画面において投影表示中の映像や、その後において投影表示される映像コンテンツやＣＭコンテンツを把握することができるとともに、再生の開始や停止、並びに左右反転の実施・非実施等の各操作を実施できるようになっている。
【００３９】
また、本実施例の店舗端末（ノートパソコン）３は、配信管理サーバ１から配信されるＣＭ映像データや、スケジュールデータを記憶可能とされており、これらスケジュールデータに基づくスケジュールに応じて、ＣＭ映像（ＣＭコンテンツ）を液晶プロジェクタ４に送信して投影させるとともに、該送信に応じて映像音声を再生出力する。
【００４０】
次に、本実施例に用いた液晶プロジェクタ４について説明すると、本実施例の液晶プロジェクタ４は、透明ガラス板６０に沿って設けられている書籍ラックにて書籍を見ている来店者により、投影光が遮られることのなく光拡散フィルム６１に到達するように、光拡散フィルム６１の上方向所定角度の天井位置に、光拡散フィルム６１に向けて傾斜するように吊り下げ設置されている。
【００４１】
尚、本実施例では、店舗をコンビニエンスストアとしており、これらコンビニエンスストアにあっては、通行人の入店を喚起する等の理由から、店舗外から店舗内部を見通せるように、店舗の前面を透明ガラスとするとともに、その透明ガラスに沿って書籍ラックを配置することで、これら書籍ラックにて書籍を見ている来店者を店外から目視確認できるようにすることが通常において実施されているので、これら書籍ラックにて書籍を見ている来店者に投影光を遮られることがないようにするとともに、設置スペースを低減できることから、液晶プロジェクタ４を天井に配置するようにしているが、本発明はこれに限定されるものではなく、本実施例１のように指向性を有しない光拡散フィルム６１を使用する場合であって、投影の障害となるものが介在する可能性がない場合であれば、液晶プロジェクタ４を光拡散フィルム６１の貼付位置とほぼ水平位置に設置するようにしても良い。
【００４２】
本実施例の液晶プロジェクタ４は、図３に示すように、光源や、小型で高精細な液晶パネル並びに拡大投影するための光学レンズや放熱装置等からなるプロジェクターユニット４３、これらプロジェクターユニット４３の駆動制御を行う駆動回路４２、映像データに基づく映像を生成するＶＤＰ（Video Display Processor）４６、店舗端末（ノートパソコン）３との無線ＬＡＮ通信を実施するための通信部４４、投影画像の台形歪みを補正するめに当該液晶プロジェクタ４の傾斜角度を検出するための重力センサ４５、光拡散フィルム６１の外周部の輝度により、屋外の明るさ状況を検知するための明度センサ４７、並びにこれらの各部に接続されて、液晶プロジェクタ４の動作や各機能の制御を行う制御部４１とを内蔵している。
【００４３】
尚、制御部４１には、液晶プロジェクタ４の動作や機能制御を、制御プログラムを実施することにより行うマイコンや、該マイコンが制御処理や受信した映像データ等の一時記憶等に使用するＲＡＭ、並びに制御プログラムを格納するＲＯＭ等が搭載されている。
【００４４】
制御部４１は、通信部４４にて店舗端末（ノートパソコン）３から受信した映像データをＶＤＰ４６に出力し、該ＶＤＰ４６にて左右反転の実施・非実施により映像化処理された映像信号が駆動回路４２に出力されることで、映像データに基づく映像がプロジェクターユニット４３から投影される。
【００４５】
尚、図４に示すユーテリティ画面には、投影される映像の焦点等を調節する操作部が表示されていないが、本実施例の店舗端末（ノートパソコン）３においては、所定のキー操作を実施することにより表示される図示しない映像調整画面において、画面の大きさや、焦点、並びに画面の歪み等を調整することができ、該映像調整画面における調整データが制御部４１に送信されることで、制御部４１が、接続されているプロジェクターユニット４３を制御して、画面の大きさや、焦点、並びに画面の歪み等を調整データに合致した状態に変更する。
【００４６】
また、制御部４１は、重力センサ４５により検知した傾斜角度に応じて、自動的に投影する画面の形状を補正する。つまり、検出した傾斜角度が大きくなるに従って、上部側の横幅方向をより拡大し、下部側の横幅方向をより縮小するように画像を補正することで、傾斜投影された画像が台形画面とならないように自動的に補正する。尚、透明ガラス板６０が傾斜している場合等については、自動的に補正されないので、この場合には、前述した映像調整画面において調整することになる。
【００４７】
さらに制御部４１は、プロジェクターユニット４３から投影される投影光の強度を、外部の明るさに応じて変化させて、消費電力を抑えるようになっている。具体的には、光学レンズを有することで、離れた被測定物の一部分の明るさを測定可能とされた明度センサ４７により、投影光が入光せずに外光のみが入光する光拡散フィルム６１の外周部の１領域（本実施例では、上部辺の隅部位置の領域）の明るさを逐次検知し、該検知した明るさに応じて、投影光の強度を適宜変化させる。
【００４８】
つまり、日中において光拡散フィルム６１に直射日光が当たっており、明度センサ４７にて検知した明るさが明るい場合には、投影光の強度を高めることで、これら直射日光が当たっている場合についても、投影された映像を良好に視認できる一方、曇天や夜であって、明度センサ４７にて検知した明るさが暗い場合には、投影光の強度を下げることで、消費電力を抑えつつ、視聴し易い映像を表示できるようになっている。
【００４９】
次いで、配信センターに設置されている本発明の広告配信サーバコンピュータとなる配信管理サーバ１について説明すると、本実施例の配信管理サーバ１は、図６に示すような構成とされ、配信管理サーバ１の内部にてデ−タの送受を行うデ−タバス１００に、広告依頼者のコンピュータ端末５からの広告依頼の受付け処理や、ＣＭ映像データを受付けて登録する登録処理、各店舗における映像コンテンツの再生スケジュールや広告スケジュール等の表示スケジュール管理、広告費用の算出処理、映像コンテンツのデータ並びに受付けたＣＭ映像のデータや、表示スケジュールのデータを各店舗の店舗端末３に対して配信する配信処理や配信履歴の管理処理等の各種処理を処理プログラムに基づいて実施する中央演算処理装置（ＣＰＵ）１０１や、該ＣＰＵ１０１のワークメモリ等に使用されるＲＡＭ１０２や、現在の時刻情報や任意年月日の曜日等のカレンダ−情報を出力可能なリアルタイムクロック（ＲＴＣ）１０７や、キーボード等の入力装置１０６並びにディスプレイ等の表示装置１０４と、通信装置２に接続されてデータの送受信を行う通信インターフェイス１０３と、ハードディスク装置等から成り、前記中央演算処理装置（ＣＰＵ）１０１が実施する各種処理プログラムや、各店舗端末３が接続されているインターネット接続装置６のインターネットアドレスや当該店舗の住所、時間帯毎のＣＭ単価やスケジュールデータが登録されている本発明のＩＰアドレス管理手段を成す店舗データベース（ＤＢ）や、広告依頼者のクライアント情報並びにユーザＩＤやパスワードや広告費用等が登録されている依頼者ＤＢや、各店舗の店舗端末３への映像コンテンツやＣＭ映像等の配信履歴等が登録されている配信履歴データベース（ＤＢ）や、広告依頼者（クライアント）から受付けたＣＭ映像データが登録されているＣＭコンテンツデータベース（ＤＢ）、液晶プロジェクタ４による拡大投影により不特定多数の人に視聴させることについての著作権者および／または著作隣接権者からの許諾を予め受けた映像コンテンツのデータが記憶されている図示しない映像コンテンツデータベース（ＤＢ）等が記憶されている記憶装置１０５と、が接続された比較的演算能力に優れたサーバ用コンピュ−タとされている。
【００５０】
本実施例の映像コンテンツデータベース（ＤＢ）には、図示しない著作権管理機関に設置されている管理コンピュータから取得した映像コンテンツＩＤ（著作物ＩＤ）、つまり映像コンテンツを個々に識別可能なコンテンツ識別情報に対応付けて、映像コンテンツのデータ、並びに許諾条件（日付に基づく期間、地域、配信回数）が記憶されている。
【００５１】
また、本実施例の配信履歴データベース（ＤＢ）には、映像コンテンツＩＤ（著作物ＩＤ）またはＣＭ映像ＩＤ毎に、当該映像コンテンツの配信日時、配信合計回数、配位した店舗を個々に識別可能な店舗ＩＤ（施設識別情報）と店舗端末ＩＤ、配信店舗数が記憶されている。
【００５２】
また、本実施例のＣＭコンテンツデータベース（ＤＢ）には、広告依頼者のユーザＩＤをその一部に含むＣＭ映像ＩＤに対応付けて、コンピュータ端末５からアップロードされたＣＭ映像データが記憶されており、該ＣＭ映像ＩＤから当該ＣＭ映像の広告主のユーザＩＤを特定できるようになっている。尚、これらＣＭ映像データはアップロードされたものに限らず、ＤＶＤ等の記録媒体に記録されたものにより、配信サービス会社に提供されたものであっても良い。
【００５３】
また、本実施例の店舗データベース（ＤＢ）には、各店舗の店舗ＩＤに対応付けて、当該店舗に設置されているインターネット接続端末のインターネットアドレス（ＩＰアドレス）、当該店舗に設置されている店舗端末３の店舗端末ＩＤ（複数の場合もある）、当該店舗端末のローカルＩＰアドレス、当該店舗の属性情報となる住所や郵便番号、電話番号、店舗規模、１日の入店者数、ロケーション情報（オフィス街、住宅地、商店街等）、並びに時間帯別のＣＭ単価、各日付毎の表示スケジュールデータが記憶されている。
【００５４】
これら店舗データベース（ＤＢ）において管理されているＩＰアドレス等の情報は、各各店舗（コンビニエンスストア）に設置されている店舗端末３から送信されるＩＰアドレス情報により逐次更新される。
【００５５】
具体的には、図１３に示すように、予め定められた規定時間（本実施例では１時間毎）となる毎に、店舗端末３は、該店舗端末３が接続されているインターネット接続装置６から、該インターネット接続装置６に対してＩＳＰより割り当てられているＩＰアドレスを取得する。尚、これら規定時間は、店舗の数やＩＳＰの種別等により適宜に設定すれば良い。
【００５６】
次いで、自己の店舗端末ＩＤと、当該店舗の店舗ＩＤ、並びに店舗内のローカルエリアネットワーク上の自己のアドレスであるローカルＩＰアドレスと、インターネット接続装置６から取得したＩＰアドレスとを含むＩＰアドレス情報を、配信管理サーバ１の固定ＩＰアドレスに対して送信する。
【００５７】
このようにして各店舗端末３から逐次送信されてくるＩＰアドレス情報の受信に応じて、配信管理サーバ１（ＣＰＵ１０１）は、受信したＩＰアドレス情報に含まれる店舗ＩＤ、店舗端末ＩＤに対応して記憶されているローカルＩＰアドレス、ＩＰアドレスを、受信したＩＰアドレス情報に含まれるローカルＩＰアドレス、ＩＰアドレスに更新することで、店舗データベース（ＤＢ）には、各店舗端末３が接続されたインターネット接続装置６に割り当てられた最新のＩＰアドレスが管理されるようになっている。
【００５８】
以下、配信管理サーバ１にてＣＭ映像（ＣＭコンテンツ）が、広告依頼者より受付けられ、該受付けられたＣＭ映像（ＣＭコンテンツ）が各店舗の店舗端末３に配信され、これら各店舗において表示される流れについて、図７並びに図８〜図１２の各広告依頼者（クライアント）のコンピュータ端末５において表示される各表示ページを参照して説明する。
【００５９】
まず、本実施例の配信管理サーバ１にアクセスした場合には、図８に示すメインメニューページが表示され、予めユーザー登録した広告依頼者である会員ユーザーのみが、各会員ユーザーに発行されているＩＤとパスワードを入力することで、該入力されたＩＤとパスワードとが依頼者データベース（ＤＢ）に記憶されているＩＤとパスワードと一致するか否かが判定されて、該判定結果が一致である場合に配信管理サーバ１にログインできるようになっている。
【００６０】
また、会員ユーザー以外のその他のアクセス者であって、新たに会員登録を実施したいアクセス利用者は「新規会員登録申し込み」を選択入力して、ユーザー登録ページに移り、該ユーザー登録ページにて法人の名称や担当者名や住所や電子メール等の企業情報とともに、希望するＩＤとパスワードを入力してユーザー登録を行う。
【００６１】
該ユーザー登録にて入力されたユーザー登録情報は、ＩＤとパスワードが既に登録されている利用者のものと重複しないか否かとともに、新規申し込み者が不適切な法人として登録されていないかが確認されて審査され、当該審査において問題が無ければＩＤとパスワードが新規申し込み者に対して図示しない発行ページにより発行される。
【００６２】
上述したＩＤとパスワードの入力によりログインした会員ユーザーは、図９に示すメニュー選択ページにおいて所望するメニューを選択する。このメニュー選択ページには、既に依頼済みの広告のスケジュールや、広告内容の変更の実施並びに広告の実施を所望する店舗の空き時間帯確認等を行うことのできる「スケジュール確認」の項目と、新規のＣＭ映像のアップロードや、店舗並びに広告時間帯の選択並びに事前の費用確認を行うことのできる「新規広告依頼」の項目と、が設けられている。
【００６３】
まず、「スケジュール確認」の項目を選択入力した場合には、図１０に示すスケジュール確認ページが表示され、会員ユーザー（広告依頼者）が希望する項目を選択できるようになっている。
【００６４】
このページにおいて、会員ユーザーが過去において既に広告の依頼をしていて、その依頼内容を確認したい場合には、「依頼済み広告」の項目を選択入力する。該入力により図１１に示すスケジュール確認ページ（２）に、その会員ユーザーに該当する広告内容が前記依頼者ＤＢより抽出されて表示される。ここで、より詳細に広告の実施スケジュール（期間や時間帯等）を確認したい場合には、「スケジュール表示」を入力することで、該広告に対応するスケジュールデータが前記店舗ＤＢに登録されている該当する店舗のスケジュールデータより抽出されて個別に表示されるようになっている。
【００６５】
また、「依頼済み広告」項目以外の「広告内容変更」項目を選択した場合には、その会員ユーザーの依頼済み広告の一覧が表示され、その中から修正したい広告を選択し、変更の種別（ＣＭ映像の変更、店舗の追加或いは変更・削除、時間帯の追加或いは変更・削除、期間の延長・短縮等）を選択して該当する種別の変更を実施することができるようになっている。
【００６６】
また、前記スケジュール確認ページにおいて、「店舗別ＣＭスケジュール」項目を選択入力した場合には、店舗の一覧が当該店舗の所在地、１日の入店者数、ロケーション情報、並びにＣＭ単価等の情報とともに表示され、会員ユーザーは、その中から所望する店舗を選択し、該選択した店舗のスケジュールを確認できるようになっている。
【００６７】
次いで、前記メニュー選択ページにおいて「新規広告依頼」を選択入力した場合においては、図示しないアップロードページが表示され、既に登録してあるＣＭ映像の確認とともに、新たなＣＭ映像の登録（アップロード）を実施できるようになっている。
【００６８】
つまり、本実施例のアップロードページには、「アップロード」のメニュー項目と、「登録済みＣＭ確認」のメニュー項目とが設けられており、「アップロード」を選択した場合には、配信管理サーバ１よりＣＭ映像のファイルのディレクトリを指定するアップロードページが配信され、会員ユーザーは該アップロードページにおいて新たなＣＭ映像データのファイルを指定して、当該ページ内の「アップロード」を選択入力することで、該選択されたＣＭ映像データがＣＭコンテンツＤＢに、会員ＩＤを含むＣＭ映像ＩＤに対応付けて登録される。
【００６９】
また、前記にて「登録済みＣＭ確認」を選択した場合においては、当該会員ＩＤを含むＣＭ映像ＩＤに対応付けてＣＭコンテンツＤＢに登録されているＣＭ映像データのタイトルが全て抽出されて、該タイトル一覧ページが配信、表示されるとともに、これらタイトル一覧ページから１つのＣＭ映像データを選択して、当該ページ内の「内容確認」を選択操作することで、該選択したＣＭ映像データが再生映像が配信されることで、当該選択したＣＭ映像データの内容を確認することがきるようになっている。
【００７０】
例えば、これらＣＭ映像データの確認により、登録が済んでいないＣＭ映像によるＣＭを実施したい場合には、前記アップロードページに移行して新たなＣＭ映像データのアップロードを実施した後、該登録したＣＭ映像データによる広告（ＣＭ）を実施させる店舗と実施時間帯とを、図１２に示すスケジュール選定ページにおいて指定する。
【００７１】
本実施例のスケジュール選定ページには、全ての店舗を選択可能なポップアップウインドウが設けてあり、会員ユーザーは該ポップアップウインドウより所望する店舗、例えば、ＣＭを実施したい地域や１日の来店者数やＣＭ料金等の条件等により、「店舗検索」のメニューを選択することにより表示される店舗検索ウインドウにて検索し、該検索した店舗の中から所望する店舗を選択する。
【００７２】
この選択の際、検索ウインドウにおいては、詳細情報のメニューが設けられており、選択しようとする店舗に関する詳細情報を確認することができるようになっている。また、検索ウインドウにおいては複数の店舗を選択することもできるが、個々のスケジュール設定については、個々の店舗毎に実施する。
【００７３】
また、前記ポップアップウインドウ（検索ウインドウにおいて選択した場合も同じ）より、広告の実施を所望する店舗を選択した場合には、該選択された店舗の広告スケジュールがページの下部領域にカレンダー表示されるとともに、デフォルトで当日の各時間帯の空き状況が該カレンダー表示の横領域に時間テーブルとして表示される。
【００７４】
尚、この時間テーブルにおいて実施されている映像コンテンツの内容等を確認したい場合には、所望する時間テーブル上の時間帯領域を選択することで、当該時間帯において当該店舗にて表示される映像コンテンツ（番組）の内容（タイトルや簡単な内容説明）が表示されることで、該時間帯において表示されている映像コンテンツ（番組）を確認することができる。
【００７５】
また、これら映像コンテンツ（番組）の詳細については、会員ユーザーに対して、別途、番組の詳細情報が逐次、番組情報メールをとして予め配信されることで、会員ユーザーは予め番組の詳細情報を確認しておくことができるようになっている。
【００７６】
ここで、当日以外の各時間帯のスケジュールを確認したい場合には、希望する日付を前記カレンダー上にて選択することで、選択した日付のスケジュールが表示される。尚、表示月以前または以後の月を表示させる場合には、表示カレンダー上の「前月」、「次月」を選択入力すれば良い。
【００７７】
これらスケジュール表示に基づき、登録ユーザーは希望する店舗の空き時間帯を確認し、広告希望開始日、と広告期間並びに広告時間帯を選択入力する。尚、本実施例においては、「複数選択」を入力することで、同一の店舗において複数の広告時間帯を選択できるようになっている。
【００７８】
これら各選択項目の選択を終えた後に、前記スケジュール選定ページの下部に設けられている「費用明細表示」を選択する。
【００７９】
該「費用明細表示」の選択に基づき、図示しない費用明細ページが表示され、前記スケジュール選定ページにて選択した内容に基づく費用が算出され、見積もりとして表示されるようになっている。
【００８０】
会員ユーザーは、この費用内容を確認して問題なければ「広告申し込み」を選択することで、広告依頼の受付がなされる。
【００８１】
これら受付けられた依頼内容は、前記依頼者ＤＢならびに店舗ＤＢに更新登録され、スケジュール管理プログラムにおいてスケジュールに異常がないか（重複の有無）が確認された後、新規ＣＭのＣＭ映像データと更新後のスケジュールデータとがデータ配信プログラムにより、選択された店舗の店舗端末３が接続されているインターネット接続端末６のＩＰアドレスに対して配信されるとともに、該配信履歴が配信履歴ＤＢに登録されて後日会員ユーザーへの請求がなされるようになっている。
【００８２】
尚、これらＣＭ映像データと更新後のスケジュールデータを配信する際においてＣＰＵ１０１は、配信するＣＭ映像データのＣＭ映像ＩＤに対応付けて配信履歴データベース（ＤＢ）に記憶されている店舗端末ＩＤを特定し、該特定した店舗端末ＩＤが送信対象とする店舗の店舗端末３の店舗端末ＩＤと一致するか否かを判定し、一致する場合、すなわち、既に該店舗端末３に当該ＣＭ映像データが送信されて記憶されている場合（具体的には、広告内容の変更（期間の延長等）や追加等がなされた場合）には、これらＣＭ映像データに代えてＣＭ映像ＩＤを、対象とする舗端末３が接続されているインターネット接続端末６のＩＰアドレスに対して配信する。
【００８３】
これら配信管理サーバ１より配信されたＣＭ映像データ（ＣＭ映像ＩＤ）並びにスケジュールデータは、インターネット網並びにインターネット接続端末６を介して店舗端末３へ配信され、該配信データが店舗端末３に記憶され、これらスケジュールデータに基づき、該当する時間帯のＣＭ期間において、該配信されたＣＭ映像データが液晶プロジェクタ４に送信されることで、該配信されたＣＭ映像データに基づく映像が、繰返し投影表示されるようになる。
【００８４】
尚、映像コンテンツデータ（番組）については、配信管理サーバ１より予め配信して、店舗端末３に記憶しておいても良いし、投影表示する時間帯に合わせてほぼ同時期にストリーミング配信するようにしても良い。
【００８５】
また、これら映像コンテンツ（番組）やＣＭ映像の投影中において、天候（雨天）等により、屋外に通行人が殆どおらず、店舗内にのみ人が存在する場合においては、前述した、図４に示すユーテリティ画面の店内操作部３７ａを操作することで、左右反転が非実施とされた映像を投影させることで、これら店舗内にいる来店客が、投影映像を良好に見られるようにし、天候が回復して屋外に通行人が多く存在するようになってきた場合には、ユーテリティ画面の店外操作部３７ｂを操作することで、左右反転が実施された映像を投影させることで、屋外の通行人が投影映像を良好に見られるようにすれば良い。
【００８６】
以上、本実施例１によれば、比較的利用費用が易い変動するＩＰアドレスによるインターネット接続でも、ＣＭ映像データ（広告映像コンテンツデータ）を拡大投影装置を成す店舗端末３に対して配信することができるようになるので、これらＣＭ映像データ（広告映像コンテンツデータ）を安価にて配信でき、よってシステムの運用コストを低く抑えることができるばかりか、ＣＭ映像データ（広告映像コンテンツデータ）が拡大投影されることで、店舗内に設置された機器の利用者以外の人にも広告を実施することができる。
【００８７】
また、本実施例１によれば、既にＣＭ映像データ（広告映像コンテンツデータ）を配信した店舗端末３（拡大投影装置）に対して、繰返しＣＭ映像データ（広告映像コンテンツデータ）を配信する必要がなく、これら、同一のＣＭ映像データ（広告映像コンテンツデータ）を繰返し拡大投影する場合における配信管理サーバ１（広告配信サーバコンピュータ）の配信負荷を大幅に低減できる。
【実施例２】
【００８８】
次に、本発明の請求項５に対応する実施例２について以下に説明する。尚、本実施例２の広告映像配信システムにおいても、集客施設としての店舗であるコンビニエンスストアには、実施例１と同様に、拡大投影が可能な液晶プロジェクタ４’と、地上波デジタル放送を受信して受信した映像データを液晶プロジェクタ４’に出力する店舗端末７とが設置されているとともに、配信センターには地上波デジタル放送を行う放送局８を通じて各店舗であるコンビニエンスストアに設置された店舗端末７に、ＣＭ映像（ＣＭコンテンツ）やスケジュールデータを配信する配信管理サーバ１’が設置され、該配信管理サーバ１’もインターネット網を介して各広告依頼者（クライアント）のコンピュータ端末５と接続されることで、実施例１と同様に、各コンピュータ端末５から新規のＣＭ映像データの受付けや広告依頼の受付けが可能とされている。
【００８９】
本実施例の配信管理サーバ１’は、図１４に示すように、通信装置２を介してインターネット網に接続されているとともに、地上波デジタル放送信号を含む放送波を放送アンテナ９から送信する放送局８（具体的に放送局８内の接続用コンピュータ）に、図示しない特定の通信装置を介してデータ通信可能に接続されている。
【００９０】
まず、本実施例２において各店舗であるコンビニエンスストアに設置された拡大投影装置について、図１５、図１６に基づいて説明すると、本実施例２においても、実施例１と同様に、集客施設である店舗の建築物の一部を成す、店舗前の通行路に臨むように設けられた店舗前側ウインドウの透明ガラス板６０に対して、上方向から投影が可能なように、店舗内の天井に液晶プロジェクタ４’が設けられているとともに、該液晶プロジェクタ４’とともに店舗端末７が天井に設置されて液晶プロジェクタ４’と接続ケーブルにより接続されている。
【００９１】
まず、本実施例２の拡大投影装置を成す透明ガラス板６０の構成について、図１５に基づき以下に説明すると、本実施例２の透明ガラス板６０には、図１５に示すように、その屋内側の面に、水平方向に透明性が高く、上下方向には透明性が低い指向性を有する指向性フィルム８０が、実施例１と同様に静電気により貼着されている。
【００９２】
また、透明ガラス板６０の屋外面には、外光の反射を防止するための反射防止コート層が形成されており、実施例１と同様に、外光の反射による写り込みにより、透過映像が見難くなってしまうことを防止できるようになっている。
【００９３】
この反射防止コート層としては、ガラス表面の反射を防止するための公知の膜、例えば、光の半波長分の厚みの膜をコートすることで、光の干渉により反射する光の強度を低減する等のものを使用することができ、好ましくは、屋外に暴露されることから、耐候性に優れるものを使用することが好ましい。
【００９４】
本実施例２に用いた指向性フィルム８０は、図１５の拡大図に示すように、表裏面を成すカバーフィルム８３，８４の間に、略水平とされた光透過性が高い幅広の光透過層８１と、略水平とされた光透過性が低い幅狭の遮光層８２とが上下方向に交互配置されたマイクロルーバーフィルムが狭持された構成とされており、当該マイクロルーバーフィルムの光透過層８１に沿った水平方向には、遮光層８２により透過する光が遮断されないことで高い透明性を有する一方、マイクロルーバーフィルムの上下方向には、遮光層８２により透過する光が遮断されるとともに、これら遮光層８２により光が乱反射されることで、透明性が非常に低いものとされるようになっている。
【００９５】
これら光透過層８１や遮光層８２の幅やマイクロルーバーフィルムの厚み等については、これが大きいと、透過映像が不連続になってしまうとともに良好な光拡散を得ることができなくなるので、これらの幅や厚みについては、液晶プロジェクタ４’からの投影光の入射角度や、使用する光透過層８１の材質の光透過度等により適宜に選択すれば良いが、例えば、光透過層８１の幅は５０ミクロンメートル以下で、遮光層８２の幅は１０ミクロンメートル以下で、マイクロルーバーフィルムの厚みは１ミリ以下であることが好ましい。
【００９６】
つまり、このように、水平方向に高い透明性を有することで、映像の投影が実施されていない場合においては、従来の透明ガラス板６０とほぼ同様に、透明ガラス板６０に沿って店舗内に設けられている書籍ラックにて書籍を見ている来店客等の店舗内の様子を、屋外の通行人は目視することができるので、入店喚起効果の低下や防犯性が低下する等の不都合を極力解消しつつ、店舗内の天井に設けられた液晶プロジェクタ４からの投影光は、図１５に示すように、これら指向性フィルム８０の上方側から入射するので、該入射する投影光については、指向性フィルム８０内において乱反射により拡散されることで良好なコントラストが得られるようになるので、実施例１の光拡散フィルム６１と同様に、屋外にいる通行人は、透過画像を良好に視認することができるようになる。
【００９７】
すなわち、本実施例２の指向性フィルム８０を光拡散フィルムとして用いることで、これら映像の高コントラスト化と透明ガラス板６０の透明性低下による不都合の解消とを両立することができるようになる。
【００９８】
尚、本実施例２では、指向性フィルム８０を透明ガラス板６０の屋内面に貼着するようにしているが、本発明はこれに限定されるものではなく、これら指向性フィルム８０を実施例１の光拡散フィルム６１と同様に屋外面に貼着するようにしても良い。
【００９９】
また、遮光層８２としては完全に光りを遮断するものである必要はなく、光透過層８１に比較して光りの透過性が低いものであれば良い。逆にこれら遮光層８２としてアルミ箔等の金属薄膜を用いるようにして、遮光層８２にて投影光がほぼ全反射されるようにしても良い。
【０１００】
次に、本実施例２に用いた店舗端末７と液晶プロジェクタ４’とについて詳述する。尚、本実施例２において用いた液晶プロジェクタ４’の構成は、図１５に示すように、実施例１の液晶プロジェクタ４とほぼ同一であり、異なる点としては、店舗端末７から出力される映像データを入力するための入力インタフェイス（Ｉ／Ｆ）４８が追加されている点であり、これら入力インタフェイス（Ｉ／Ｆ）４８から入力される映像データがＶＤＰ４６により映像化処理されることで、プロジェクターユニット４３から拡大投影される。
【０１０１】
また、本実施例２においては、店舗端末７として録画機能を備えた地上波デジタル放送用チューナーを使用しており、該店舗端末７は、店内並びに店外に設置された図示しないスピーカ並びにアンプを含む店舗音響装置に接続されていて、映像音声等を該店舗音響装置に出力可能とされている。
【０１０２】
本実施例２の店舗端末７は、地上波デジタル放送波を受信するための受信アンテナ７８、該受信アンテナ７８に接続され、複数（１３）のセグメントに多重化が可能な直交周波数分割多重（ＯＦＤＭ）変調により多重化されたＩＳＤＢ−Ｔ方式に基づく地上波デジタル放送信号を受信するためのデジタル放送チューナー７２、受信した地上波デジタル放送信号に多重化されているセグメントの映像チャネル並びに音声チャネルのデジタルデータを記憶するための比較的大容量のハードディスク等から成る記憶装置７３、現在の時刻情報や任意年月日の曜日等のカレンダ−情報を出力可能なリアルタイムクロック（ＲＴＣ）７５、赤外線リモコンにおける操作に基づく赤外線信号を受信するためのリモコン受信部７６、液晶プロジェクタ４’に映像データを出力するための出力インタフェイス（Ｉ／Ｆ）７４と、出力インタフェイス（Ｉ／Ｆ）７４から出力する映像データに対応する音声を店舗音響装置に対して出力するためのＤ／Ａ変換器やアンプ等から成る音声出力部７７、並びにこれらの各部に接続されて、店舗端末７の動作や各機能の制御を行う制御部７１とを内蔵している。
【０１０３】
制御部７１には、店舗端末７の動作や機能制御を、制御プログラムを実施することにより行うマイコンや、該マイコンが制御処理や受信したデータ等の一時記憶等に使用するＲＡＭ、並びに制御プログラムを格納するＲＯＭ等が搭載されている。
【０１０４】
また、制御部７１は、デジタル放送チューナー７２にてＣＭ映像データとともに受信したデータチャンネルのデータとして、自己の店舗端末ＩＤが含まれている場合について、該ＣＭ映像データを、出力インタフェイス（Ｉ／Ｆ）７４から液晶プロジェクタ４’に対して出力するとともに、受信した音声データを音声出力部７７に出力してアナログ音声に変換出力するとともに、データチャンネルのデータに含まれているＣＭ映像ＩＤが記憶装置７３に記憶されていないときには、該ＣＭ映像ＩＤに対応付けて、受信したＣＭ映像データと音声データと、店舗端末ＩＤに対応するスケジュールデータがデータチャンネルのデータとして含まれている場合には、該スケジュールデータ並びに保存期限を記憶する。
【０１０５】
つまり、記憶装置７３には、ＣＭ映像ＩＤに対応付けて、当該ＣＭ映像ＩＤから特定されるＣＭコンテンツのＣＭ映像データ（デジタル放送データ）と音声データ（デジタル放送データ）とともに、該ＣＭコンテンツを拡大投影するスケジュールとが記憶され、これらスケジュールデータに基づくスケジュールに応じて、当該ＣＭコンテンツのＣＭ映像データと音声データとが液晶プロジェクタ４’に出力されることで、拡大投影される。
【０１０６】
これら記憶装置７３に記憶された各ＣＭコンテンツのデータは、対応する保存期限が経過したことを条件（経過しても記憶容量に十分な余裕がある場合等においては、経過後においても保存されていることもある）として消去される。
【０１０７】
尚、本実施例の店舗端末７においても、実施例１の店舗端末３と同様に、図示しないリモコンを操作することで、再生の開始や停止、並びに左右反転の実施・非実施等の各操作を実施できるようになっている。
【０１０８】
次いで、本発明の広告配信装置となる本実施例２の配信管理サーバ１’について説明すると、配信管理サーバ１’も実施例１の配信管理サーバ１と同じとされ、広告依頼者のコンピュータ端末５からの広告依頼の受付け処理や、ＣＭ映像データを受付けて登録する登録処理、各店舗における広告スケジュール管理、広告費用の算出処理、等の各種処理を処
理プログラムに基づいて実施する。尚、これらの処理等は、実施例１で既に説明済みであるので、ここでの説明は省略するものとする。
【０１０９】
また、実施例１の配信管理サーバ１は、ＣＭ映像のデータ等を個々の店舗の店舗端末３に対して、インターネット網を介して個別配信しているのに対し、本実施例２の配信管理サーバ１’は、ＣＭコンテンツ（ＣＭ映像）を地上波デジタル放送により、各店舗の店舗端末７に対して一斉配信するために、放送用データを生成して配信サービスを提供する放送局８に送信する処理を実施する点が異なっている。尚、本実施例２の配信管理サーバ１’は、映像コンテンツを配信しないので、映像コンテンツデータベース（ＤＢ）は有していない。
【０１１０】
また、本実施例の配信履歴データベース（ＤＢ）には、ＣＭ映像ＩＤ毎に、当該ＣＭコンテンツ（ＣＭ映像）の放送用データを生成した生成日、放送用データに付加することで当該ＣＭコンテンツ（ＣＭ映像）が記憶されている店舗端末ＩＤ並びに店舗端末数（店舗数）が記憶されている。
【０１１１】
以下、これら実施例１と異なる、各店舗の店舗端末７に対して地上波デジタル放送により一斉配信する流れについて、図１７に示すフロー図を参照して説明する。
【０１１２】
実施例１と同様に、広告依頼者が図１２に示すスケジュール選定ページにおいて各選択項目の選択を実施することで受付けられた広告依頼内容は、前記依頼者ＤＢならびに店舗ＤＢに更新登録され、スケジュール管理プログラムにおいてスケジュールに異常がないか（重複の有無）が確認された後、当該広告依頼者のＣＭコンテンツ（ＣＭ映像）を投影する各店舗毎のスケジュールが、図１８に示すスケジュール生成処理が実施されることで生成された後、放送用データ生成プログラムにより、広告依頼者が指定した各店舗の店舗端末７のみが、当該広告依頼者が登録したＣＭ映像（ＣＭコンテンツ）を受信、記憶するように、放送用データが生成される。
【０１１３】
本実施例２のスケジュール生成処理においては、図１８に示すように、スケジュール選定ページにおいて選択された店舗の内、スケジュールの生成対象の１の店舗を特定し、該特定した店舗においてスケジュール選定ページにて指定されたＣＭの実施期間内の各日付についての実施時間（開始時刻と終了時刻）を特定する。
【０１１４】
そして、特定した全実施時間（日付＋開始時刻と終了時刻）を含む実施スケジュールを、生成対象とした店舗に設置されている店舗端末７の店舗端末ＩＤに対応付けてスケジュールデータを生成して一時記憶する。
【０１１５】
このスケジュールデータの生成の後、スケジュール選定ページにおいて選択された全ての店舗についてスケジュールデータの生成を実施済みであるかを判定し、実施済みでない場合には、未実施の店舗について順次、上記の処理を繰返し実施することでスケジュールデータの生成を行い、選択された全ての店舗についてのスケジュールデータを一時記憶する。
【０１１６】
そして、これらスケジュール生成処理を実施した後、図１７に示す放送用データ生成処理を実施する。
【０１１７】
具体的には、図１７に示すように、初めに、上記にて新規依頼されたＣＭコンテンツ（ＣＭ映像）のＣＭ映像ＩＤと該ＣＭ映像ＩＤに対応してＣＭコンテンツＤＢに記憶されているＣＭ映像データを読み出す。
【０１１８】
次いで、広告依頼者が指定した各店舗に設置されている店舗端末７の店舗端末ＩＤを、店舗データベース（ＤＢ）から全て抽出する（一時記憶しているスケジュールデータに含まれる店舗端末ＩＤを読み出しても良い）とともに、スケジュール選定ページにおいて受付けた広告期間に基づく本発明はこれに保存期限と特定する。
【０１１９】
そして、読み出したＣＭ映像ＩＤ、抽出した店舗端末ＩＤ、特定した保存期限、並びに上記したスケジュール生成処理にて一時記憶したスケジュールデータとからデータチャネルにて同時送信する所定形式（フォーマット）の同時送信データを生成する。
【０１２０】
その後、該生成した同時送信データと上記にてＣＭコンテンツＤＢから読み出したＣＭ映像データとを、同時送信データ部分とＣＭ映像データ部分とを識別可能に対応付けた放送用データを生成する。この放送用データを生成する際において、ＣＭ映像データによるＣＭ映像が店舗端末７にて、該ＣＭ映像データとともに放送される同時送信データが受信されてＣＭ映像（ＣＭコンテンツ）の記憶が開始されるまでに必要とされる時間を考慮して、該ＣＭ映像データの先頭部分に、記憶開始までに必要な時間よりも少し長い予備映像（無画面やサービス会社のロゴ画像）等を挿入し、該予備映像が付加されたＣＭ映像データを使用して放送用データを生成する。
【０１２１】
そして、該生成した放送用データを放送局８の図示しない接続用コンピュータに対して送信（出力）することで、該送信された放送用データに含まれる同時送信データが地上波デジタル放送信号のデータチャネルにて放送（配信）され、送信された放送用データに含まれるＣＭ映像データが、映像並びに音声チャネルにて放送（配信）される。
【０１２２】
尚、本実施例２では、配信管理サーバ１’と放送局８（接続用コンピュータ）とを通信接続しているために、生成した放送用データを配信管理サーバ１’が放送局８（接続用コンピュータ）に直接送信（出力）するようにしているが、本発明はこれに限定されるものではなく、例えば、これらの放送用データを、記録媒体に書き込み出力し、該記録媒体を放送局８に送付して放送させるようにしても良い。
【０１２３】
以上、本実施例２によれば、店舗（集客施設）の店舗端末７（拡大投影装置）に対して、専用回線やインターネット接続回線等を使用することなく、ＣＭ映像データ（広告映像コンテンツデータ）に基づく広告映像コンテンツを配信することができるようになるので、ＣＭ映像データ（広告映像コンテンツデータ）を安価にて配信でき、よってシステムの運用コストを低く抑えることができるばかりか、ＣＭ映像（広告映像コンテンツ）が拡大投影されることで、店舗内に設置された機器の利用者以外の人にも広告を実施することができる。
【０１２４】
また、本実施例２によれば、各ＣＭ映像（ＣＭコンテンツ）の放送において、当該ＣＭ映像（ＣＭコンテンツ）を拡大投影するスケジュールデータも放送されて、各店舗端末７において、ＣＭ映像（ＣＭコンテンツ）とともに記憶されるので、これらＣＭ映像（ＣＭコンテンツ）がスケジュールデータに基づいて、放送に依ることなく拡大投影されるようになるので、同一のＣＭ映像（広告映像コンテンツ）を繰返し拡大投影する場合において、該ＣＭ映像（広告映像コンテンツ）を繰返し放送する必要がなく、これら、同一のＣＭ映像データ（広告映像コンテンツデータ）を繰返し拡大投影する場合における配信コストを、著しく低減することができる。
【０１２５】
また、前記各実施例によれば、広告依頼者は、新たな広告のＣＭ映像データ（広告映像コンテンツデータ）を自身が管理するコンピュータ端末５（広告依頼者端末）から配信管理サーバ１、１’に直接登録することができるので、該新たな広告を店舗（集客施設）において迅速に実施することができる。
【０１２６】
また、前記各実施例によれば、広告依頼者は、広告を実施したい店舗（集客施設）、つまり広告効果を見込める店舗（集客施設）を指定して広告を行うことができ、より効率の高い広告を実施できる。
【０１２７】
また、前記各実施例によれば、透明ガラス板６０の表面に光拡散層となる光拡散フィルム６１や指向性フィルム８０を設けることで、良好なコントラストであって、左右が逆となっていない正しい映像を透明ガラス板６０上において得ることができ、よって、店舗（集客施設）の建築物の一部を成す透明ガラス板６０を、投影光の透過側から視聴可能な表示画面とする拡大投影装置を、店舗（集客施設）に容易に形成することができる。
【０１２８】
また、前記各実施例によれば、光拡散フィルム６１の屋外に臨む面を非平滑面（マット面）としたり、透明ガラス板６０の屋外面に反射防止コート層を設けたりすることにより、投影映像の投影側と反対方向側となる屋外側から透明ガラス板６０に入射する光による写り込みを低減できる。
【０１２９】
また、前記各実施例によれば、光拡散層が光拡散フィルム６１或いは指向性フィルム８０にて形成されており、透明ガラス板６０表面の適宜な位置に光拡散層を容易に形成することができる。
【０１３０】
また、前記各実施例によれば、光拡散フィルム６１或いは指向性フィルム８０が、これらフィルムを透明ガラス６０に貼着するための粘着剤層を有しないので、これら粘着剤層により透過する投影光の進路が変化して、映像が不鮮明となってしまうことを回避することができる。
【０１３１】
また、前記実施例２によれば、指向性フィルム８０は水平方向には光透過性が高いので、指向性フィルム８０を貼付しても、水平方向については、透明ガラス板６０を通して反対側の様子を視認できるようになり、コンビニエンスストア（店舗）等における防犯性の低下等の不都合を極力解消できるばかりか、液晶プロジェクタ４’（拡大投影機）からの投影光は、指向性フィルム８０の上下方向所定角度から入射するため、指向性フィルムにおいて光拡散がなされて良好なコントラストが得られるようになるので、これら映像の高コントラスト化と透明ガラス板６０の透明性低下による不都合の解消とを両立することができる。
【０１３２】
また、各実施例によれば、液晶プロジェクタ４、４’（拡大投影機）が、設置角度に応じて画面の変形を補正する画面補正機能を有しているので、投稿された映像画面が台形上に変形してしまうことを解消でき、映像を視認する人の違和感を解消することができる。
【０１３３】
また、各実施例によれば、例えばコンビニエンスストア（店舗）において、雨天等によりコンビニエンスストア（店舗）外に人がおらず、コンビニエンスストア（店舗）内に来店者が多くいる場合のような状況において、入力映像の左右反転を非実施とすることにより、これら店舗内に多くいる来店者向けの映像に適宜変更することができる。
【０１３４】
以上、本発明の実施例を図面により説明してきたが、具体的な構成はこれら実施例に限られるものではなく、本発明の要旨を逸脱しない範囲における変更や追加があっても本発明に含まれる。
【０１３５】
例えば、前記実施例では、集客施設として店舗であるコンビニエンスストアを例示しているが、本発明はこれに限定されるものではなく、これらコンビニエンスストア以外の店舗、例えば、スーパーやデパートや遊技場等であっても良いし、ショッピングモールやアウトレットモールやアムーズメントパーク等であっても良い。
【０１３６】
また、前記実施例では、店舗の透明ガラス板６０にＣＭ映像を拡大投影しているが、本発明はこれに限定されるものではなく、これら拡大投影を、例えば、ショッピングモールやアムーズメントパーク等において、通常のスクリーンに実施して広告を実施するようにしても良い。
【０１３７】
また、前記実施例２では、ＣＭ映像の放送とともに、スケジュールデータも放送にて配信するようにしているが、本発明はこれに限定されるものではなく、これらスケジュールデータは、放送とは別に、単独のデータとして拡大投影するＣＭ映像ＩＤとともに配信するようにしても良いし、更には、拡大投影するＣＭ映像とは異なるＣＭ映像の放送において、該拡大投影するＣＭ映像のＣＭ映像ＩＤとスケジュールデータとを配信するようにしても良い。
【０１３８】
また、前記実施例１では、店舗端末３を用いて、店舗において投影映像や、液晶プロジェクタ４（拡大投影機）の管理、操作を実施できるようにしているが、本発明はこれに限定されるものではなく、これら液晶プロジェクタ４（拡大投影機）をインターネット網に直接接続し、該液晶プロジェクタ４（拡大投影機）を配信管理サーバ１にて直接管理するようにしても良い。
【０１３９】
また、前記実施例１における映像コンテンツとしては、どのような番組であっても良く、これら番組を、緊急地震速報や緊急ニュース等としても良く、このようにすることで、街頭において緊急地震速報や緊急ニュースを一般の人々が認知することができるようになる。尚、実施例２においても、地上波デジタル放送による緊急地震速報や緊急ニュース等を拡大投影できることは言うまでもない。
【０１４０】
また、前記各実施例では、建築物の一部を成すガラス板として、店舗の内部の様子を外部から目視確認できる透明な透明ガラス板６０を例示しているが、本発明はこれに限定されるものではなく、これらガラス板としては、完全に透明でなく、内部の様子が視認しずらい非透明性のガラスであっても良く、この場合には、透明ガラスに比較して投影される画像のコントラストは高くなるが、十分なコントラストを得られない場合が多く、これら非透明性のガラスであっても本発明の光拡散層となる光拡散フィルム６０や指向性フィルム８０を更に設けることで、より高い映像のコントラストを得られるようになる。
【図面の簡単な説明】
【０１４１】
【図１】本発明の実施例１における広告映像配信システムの構成を示すシステム構成図である。
【図２】本発明の実施例１の店舗（コンビニエンスストア）における拡大投影装置を成す液晶プロジェクタの設置状況を示す図である。
【図３】本発明の実施例１の拡大投影装置を成す液晶プロジェクタ４並びに店舗端末３の構成を示すブロック図である。
【図４】本発明の実施例１に用いた店舗端末３の表示部３１に表示されるユーテリティ画面を示す図である。
【図５】本発明の実施例１の拡大投影装置を成す透明ガラス板６０の構成を示す図である。
【図６】本発明の実施例１の広告映像配信システムに用いた配信管理サーバ１の構成を示すブロック図である。
【図７】本発明の実施例１において用いた配信管理サーバ１における全体の処理内容を示す図である。
【図８】本発明の実施例１において用いた配信管理サーバ１におけるメインメニューページを示す図である。
【図９】本発明の実施例１において用いた配信管理サーバ１におけるメニュー選択ページを示す図である。
【図１０】本発明の実施例１において用いた配信管理サーバ１におけるスケジュール確認ページを示す図である。
【図１１】本発明の実施例１において用いた配信管理サーバ１におけるスケジュール確認ページ（２）を示す図である。
【図１２】本発明の実施例１において用いた配信管理サーバ１におけるスケジュール選定ページを示す図である。
【図１３】本発明の実施例１におけるＩＰアドレス情報の送受状況を示す図である。
【図１４】本発明の実施例２における広告映像配信システムの構成を示すシステム構成図である。
【図１５】本発明の実施例２の広告映像配信システムを成す液晶プロジェクタ４’並びに店舗端末７の構成を示すブロック図である。
【図１６】本発明の実施例２の広告映像配信システムを成す透明ガラス６０の構成を示す図である。
【図１７】本発明の実施例２において用いた配信管理サーバ１にて実施される放送用データ生成処理の処理内容を示すフロー図である。
【図１８】本発明の実施例２において用いた配信管理サーバ１にて実施されるスケジュールデータ生成処理の処理内容を示すフロー図である。
【符号の説明】
【０１４２】
１            配信管理サーバ
２            通信装置
３            店舗端末
４            液晶プロジェクタ
４’          液晶プロジェクタ
５            コンピュータ端末
６            インターネット接続装置
７            店舗端末
８            放送局
３１          表示部
３２          再生映像表示部
３３          スケジュール表示部
３４          停止操作部
３５          再生操作部
３６          音量調節部
３７ｂ        店外操作部
３７ａ        店内操作部
３８          同期操作部
３９          編集操作部
４１                 制御部
４２          駆動回路
４３          プロジェクターユニット
４４          通信部
４５          重力センサ
４６          ＶＤＰ
４７          明度センサ
４８          入力インタフェイス（Ｉ／Ｆ）
６０          該透明ガラス板
６１          光拡散フィルム
６４          粘着剤層
７１          制御部
７２          デジタル放送チューナー
７３          記憶装置
７４          出力インタフェイス（Ｉ／Ｆ）
７５          リアルタイムクロック（ＲＴＣ
７６          リモコン受信部
７７          音声出力部
７８          受信アンテナ
８０          指向性フィルム
８１          光透過層
８２          遮光層
８３          カバーフィルム
８４          カバーフィルム
１００        デ−タバス
１０１        中央演算処理装置（ＣＰＵ）
１０２        ＲＡＭ
１０３        通信インターフェイス
１０４        表示装置
１０５        記憶装置
１０６        入力装置
１０７        リアルタイムクロック（ＲＴＣ）
【図１】
2009217309.tif 000003
【図２】
2009217309.tif 000004
【図３】
2009217309.tif 000005
【図４】
2009217309.tif 000006
【図５】
2009217309.tif 000007
【図６】
2009217309.tif 000008
【図７】
2009217309.tif 000009
【図８】
2009217309.tif 000010
【図９】
2009217309.tif 000011
【図１０】
2009217309.tif 000012
【図１１】
2009217309.tif 000013
【図１２】
2009217309.tif 000014
【図１３】
2009217309.tif 000015
【図１４】
2009217309.tif 000016
【図１５】
2009217309.tif 000017
【図１６】
2009217309.tif 000018
【図１７】
2009217309.tif 000019
【図１８】
2009217309.tif 000020